(57)【特許請求の範囲】
【請求項１】
熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、
前記燃焼式加熱装置の作動状態で、前記熱媒循環回路に熱媒を循環させると共に前記浴槽水循環回路に浴槽水を循環させて浴槽水を追焚きする追焚き処理において、
所定の第１熱媒温度に前記熱媒を加熱して浴槽水を追焚きする第１追焚き処理と、
前記第１追焚き処理に要する時間よりも長くかつ最長追焚き時間と同じかより短い時間で追焚き処理が完了する第２熱媒温度を決定し、前記第２熱媒温度に前記熱媒を加熱して浴槽水を追焚きする第２追焚き処理とを選択的に行う追焚き処理手段を備え、
前記追焚き処理手段は、前記第１追焚き処理に要する時間よりも長くかつ前記最長追焚き時間と同じかより短い時間である第２追焚き時間で追焚き処理が完了する前記第２熱媒温度を決定するにあたり、浴槽水を追焚き完了温度に加熱するために要する必要投入熱量を前記第２追焚き時間で除算することで求められる毎時投入熱量に基づいて前記第２熱媒温度を決定する風呂装置。
【請求項２】
前記風呂装置が設置される施設の外気温度を検出する外気温度検出手段を備え、
前記追焚き処理手段は、前記外気温度検出手段によって検出された前記外気温度に基づいて前記第２追焚き時間を決定する請求項１に記載の風呂装置。
【請求項３】
前記浴槽が設置される浴室の浴室温度を検出する浴室温度検出手段を備え、
前記追焚き処理手段は、前記浴室温度検出手段によって検出された前記浴室温度に基づいて前記第２追焚き時間を決定する請求項１または２に記載の風呂装置。
【請求項４】
前記追焚き処理手段は、前記浴槽の断熱性能に関する指標に基づいて前記第２追焚き時間を決定する請求項１〜３のいずれか一項に記載の風呂装置。
【請求項５】
前記風呂装置の使用者からの指令を受け付ける操作部を備え、
前記追焚き処理手段が、前記操作部が前記追焚き処理を実行する旨の指令を受け付けた場合に前記第１追焚き処理を行うよう構成されている請求項１〜４のいずれか一項に記載の風呂装置。
【発明の詳細な説明】
【技術分野】
【０００１】
本発明は、熱媒加熱用の燃焼式加熱装置と、前記燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置に関する。
【背景技術】
【０００２】
特許文献１では、温水循環用の回路２１，２２を流れる熱媒をバーナ４Ｂを用いて加熱し、当該加熱された熱媒の熱を追焚き用熱交換器２８を介して浴槽水循環用の回路３１，３２を流れる浴槽水に伝えることで、浴槽水を追焚きする風呂設備が開示されている。この風呂設備では、バーナで浴槽水を直接加熱するのではなく温水循環用の回路２１，２２を介して間接的に浴槽水を加熱するように構成されている。
【０００３】
このような、いわゆる間接加熱方式の風呂装置の効率は、従来は『定格（最大）出力で連続運転した際の入力熱量にて出力熱量を除算する』形態で算出されていたが、近年、より実際の使用状態に即した効率（例えば、断続運転をも含む運転状態で算出される効率）での評価を行うことが検討されている。
【先行技術文献】
【特許文献】
【０００４】
【特許文献１】特開２００９−１４４９３５号公報
【発明の概要】
【発明が解決しようとする課題】
【０００５】
発明者らは、上記特許文献１に示される風呂装置にて間接加熱方式で追焚き処理を実行するときで、特に、実際の使用状態に即した効率、即ち、断続運転等をも含む状態で算出される効率での評価を行う場合、熱効率に改善の余地があることを見出した。具体的には、間接加熱方式で追焚き処理を実行するときには、瞬時効率（瞬間的な熱効率）は運転開始から徐々に上昇していくが、瞬時効率が上昇し切る前に追焚き処理が終了する場合があった。
【０００６】
本発明は、上述の課題に鑑みてなされたものであり、その目的は、間接加熱方式での追焚き処理において、瞬時効率が高い状態での運転時間を長く確保することで、追焚き処理の効率を改善することが可能な風呂装置を提供することである。
【課題を解決するための手段】
【０００７】
上記目的を達成するための本発明に係る風呂装置の特徴構成は、熱媒加熱用の燃焼式加熱装置と、燃焼式加熱装置の燃焼により熱媒を加熱する第１熱交換器を有する熱媒循環回路と、浴槽内の浴槽水が循環される浴槽水循環回路と、前記熱媒循環回路を通流する熱媒と前記浴槽水循環回路を通流する浴槽水とを熱交換させて前記浴槽水を加熱する第２熱交換器とを備えた風呂装置において、前記燃焼式加熱装置の作動状態で前記熱媒循環回路に熱媒を循環させると共に前記浴槽水循環回路に浴槽水を循環させて浴槽水を追焚きする追焚き処理において、所定の第１熱媒温度に前記熱媒を加熱して浴槽水を追焚きする第１追焚き処理と、前記第１追焚き処理に要する時間よりも長くかつ最長追焚き時間と同じかより短い時間で追焚き処理が完了する第２熱媒温度を決定し、前記第２熱媒温度に前記熱媒を加熱して浴槽水を追焚きする第２追焚き処理とを選択的に行う追焚き処理手段を備え、
前記追焚き処理手段は、前記第１追焚き処理に要する時間よりも長くかつ前記最長追焚き時間と同じかより短い時間である第２追焚き時間で追焚き処理が完了する前記第２熱媒温度を決定するにあたり、浴槽水を追焚き完了温度に加熱するために要する必要投入熱量を前記第２追焚き時間で除算することで求められる毎時投入熱量に基づいて前記第２熱媒温度を決定する点にある。 
【０００８】
追焚き処理の熱効率が低い原因について本願発明の発明者らは鋭意研究の結果、従来の追焚き処理においては、瞬時効率が上昇しきる前に追焚き処理が終了する場合があるという新たな知見を得た。図３に従来の追焚き処理（第１追焚き処理）の瞬時効率を示す。図３に示す従来の追焚き処理では、瞬時効率が平均的に６０％を超えてから約１５秒で追焚き処理が終了しており、瞬時効率が高い状態での運転期間が極めて短い場合があった。
【０００９】
上記特徴構成によれば、風呂装置は、所定の第１熱媒温度に熱媒を加熱して浴槽水を追焚きする第１追焚き処理と、第１追焚き処理に要する時間よりも長くかつ最長追焚き時間と同じかより短い時間で追焚き処理が完了する第２熱媒温度を決定し、第２熱媒温度に熱媒を加熱して浴槽水を追焚きする第２追焚き処理とを選択的に行う。第２追焚き処理では、第１追焚き処理に要する時間よりも長い時間で追焚き処理を完了するように第２熱媒温度を決定して追焚き処理を行うため、瞬時効率が高い状態での運転期間が第１追焚き処理に比べて長くなり、総合的な熱効率が向上する。また第２追焚き処理では、最長追焚き時間と同じかより短い温度で追焚き処理が完了するように第２熱媒温度を決定するため、追焚き処理が無制限に長くなることを防止でき、使用者の利便性を損なうことがない。すなわち上記特徴構成によれば、熱効率を向上しつつ使用者の利便性を確保することが可能な風呂装置を実現することができる。なお最長追焚き時間は、第２追焚き処理に要する時間の上限であって、使用者の利便性を損なわない程度の時間として予め設定された時間である。
【００１１】
更に、上記特徴構成によれば、浴槽水を追焚き完了温度に加熱するために要する必要投入熱量を第２追焚き時間で除算することで求められる毎時投入熱量に基づいて第２熱媒温度を決定するので、第２追焚き時間で追焚き処理がちょうど完了する熱媒の温度を精度よく求めることができる。これにより、追焚きに要する時間を利便性が損なわれない範囲に留めつつ、その時間内で追焚き処理をできるだけ長く行うことができるので、瞬時効率が高い期間を可及的に長くでき、熱効率をより高めることができる。 
【００１２】
本発明に係る風呂装置の更なる特徴構成は、前記風呂装置が設置される施設の外気温度を検出する外気温度検出手段を備え、前記追焚き処理手段は、前記外気温度検出手段によって検出された前記外気温度に基づいて前記第２追焚き時間を決定するようにした点にある。
【００１３】
風呂装置が設置される施設の外気温度が低い場合、浴槽水循環回路での放熱が大きくなる可能性がある。そうすると、第２追焚き時間で追焚き処理が完了するように第２熱媒温度を決定したとしても、実際に追焚き処理を行った場合に第２追焚き時間よりも長い時間を要してしまう恐れがある。上記特徴構成によれば、外気温度検出手段によって検出された外気温度に基づいて第２追焚き時間を決定するので、放熱による影響も考慮して第２追焚き時間を決定できる。
【００１４】
本発明に係る風呂装置の更なる特徴構成は、前記浴槽が設置される浴室の浴室温度を検出する浴室温度検出手段を備え、前記追焚き処理手段は、前記浴室温度検出手段によって検出された前記浴室温度に基づいて前記第２追焚き時間を決定するようにした点にある。
【００１５】
浴室の浴室温度が低い場合、浴室での浴槽水からの放熱が大きくなる可能性がある。そうすると、第２追焚き時間で追焚き処理が完了するように第２熱媒温度を決定したとしても、実際に追焚き処理を行った場合に第２追焚き時間よりも長い時間を要してしまう恐れがある。また浴室温度が低い状況において、例えば入浴者がいる場合はより短い時間で追焚き処理を完了することが望ましい。上記特徴構成によれば、浴室温度検出手段によって検出された浴室温度に基づいて第２追焚き時間を決定するので、放熱による影響も考慮して第２追焚き時間を決定できる。
【００１６】
本発明に係る風呂装置の更なる特徴構成は、前記追焚き処理手段は、前記浴槽の断熱性能に関する指標に基づいて前記第２追焚き時間を決定するようにした点にある。
【００１７】
近年は浴槽の断熱性能が向上し、長時間の保温を行っても浴槽水の温度がほとんど低下しないものもあるが、浴槽の断熱性能が低い場合には浴槽での放熱が大きくなる。そうすると、第２追焚き時間で追焚き処理が完了するように第２熱媒温度を決定したとしても、実際に追焚き処理を行った場合に第２追焚き時間よりも長い時間を要してしまう恐れがある。上記特徴構成によれば、浴槽の断熱性能に関する指標に基づいて第２追焚き時間を決定するので、放熱による影響も考慮して第２追焚き時間を決定できる。
【００１８】
本発明に係る風呂装置の更なる特徴構成は、前記風呂装置の使用者からの指令を受け付ける操作部を備え、前記追焚き処理手段が、前記操作部が前記追焚き処理を実行する旨の指令を受け付けた場合に前記第１追焚き処理を行うよう構成されている点にある。
【００１９】
上記特徴構成によれば、操作部が追焚き処理を実行する旨の指令を受け付けた場合に、追焚き処理手段が第１追焚き処理を行うので、第２追焚き処理を行う場合に比べて短い時間で追焚き処理を完了することができ、追焚きの実行を希望している使用者の待ち時間を短くして満足度を高めることができる。すなわち、使用者の利便性をより高めることができる。
【００２０】
本発明に係る風呂装置の更なる特徴構成は、前記追焚き処理手段は、前記第１熱媒温度よりも低い第３熱媒温度に熱媒を加熱して浴槽水を追焚きした場合に追焚き処理に要する時間を算出し、当該時間が前記最長追焚き時間と同じかより短い場合は前記第３熱媒温度を前記第２熱媒温度に決定して前記第２追焚き処理を行い、当該時間が前記最長追焚き時間より長い場合は、前記最長追焚き時間で追焚き処理が完了する熱媒の温度を前記第２熱媒温度に決定して前記第２追焚き処理を行う点である。
【００２１】
追焚き処理に要する時間は、浴槽に貯留された浴槽水の温度と総量により変動する。よって、第１熱媒温度よりも低い温度に予め設定された第３熱媒温度で第２追焚き処理を行う際、追焚きに要する時間が非常に長くなる場合がある。そうすると、湯張りの後に設定湯張り温度への追焚きを行う自動湯張り運転や、その後の保温運転において、設定湯張り温度に到達するのに長い時間を要することとなり、使用者の利便性を損なう恐れがある。
上記特徴構成によれば、第３熱媒温度での追焚き処理に要する時間を算出し、当該時間が最長追焚き時間と同じかより短い場合は第３熱媒温度を第２熱媒温度に決定して第２追焚き処理を行い、当該時間が最長追焚き時間より長い場合は、最長追焚き時間で追焚き処理が完了する熱媒の温度を第２熱媒温度に決定して第２追焚き処理を行うので、追焚き処理に要する時間が最長追焚き時間より長くなることがなく、使用者の利便性を損なう事態の発生を抑制できる。
【図面の簡単な説明】
【００２２】
【図１】本発明の風呂装置の概略構成図
【図２】本発明に係る風呂装置の制御を示す説明図
【図３】本発明に係る風呂装置の運転状態を示す説明図（第１追焚き処理）
【図４】本発明に係る風呂装置の運転状態を示す説明図（第２追焚き処理）
【発明を実施するための形態】
【００２３】
本発明は、所謂、間接加熱方式の風呂装置において、特に、瞬時効率が高い状態での運転時間を長く確保することで追焚き処理の効率を改善することが可能な風呂装置に関する。以下、本発明に係る風呂装置の実施形態を図面に基づいて説明する。
風呂装置１００は、暖房端末ＨＵ、ＬＵに熱を供給すると共に浴槽１０および給湯栓３３に温度調整した湯水を供給すべく、熱媒および湯水を加熱・供給可能な熱源機Ｇと、当該熱源機Ｇの運転を制御する運転制御部Ｃと、その運転制御部Ｃに各種運転指令を発するメインリモコンＲ１および浴室リモコンＲ２とを備えて構成されている。
ちなみに、メインリモコンＲ１は炊事場の近傍に設置され、浴室リモコンＲ２は浴槽１０が設置された浴室内に設けられている。
【００２４】
〔熱源機に係る構成〕
図１に示すように、熱源機Ｇは、ケーシング５１により外囲されるものであり、一般家庭用の水道管に接続された給水路Ｌ２からの水をガス燃焼式の給湯用バーナｇ１により加熱して、加熱後の湯水を給湯栓３３や浴槽１０へ供給する給湯用加熱部Ｈ１と、高温暖房端末ＨＵおよび低温暖房端末ＬＵへ循環供給する熱媒や浴槽１０の内部に貯留される浴槽水を追焚きする熱媒をガス燃焼式の熱媒加熱用バーナｇ２により加熱する熱媒加熱部Ｈ２とを備えて構成されている。ちなみに、高温暖房端末ＨＵとしては浴室暖房乾燥機が、低温暖房端末ＬＵとしては床暖房装置が設けられている。
【００２５】
図１に示すように、給湯用加熱部Ｈ１に備えられる給湯用バーナｇ１には、一般家庭用の燃料ガス（例えば、都市ガス１３Ａ）を供給する第１ガス供給路２１ａが接続されており、熱媒加熱部Ｈ２に備えられる熱媒加熱用バーナｇ２にも、燃料ガスを供給する第２ガス供給路２１ｂが接続されている。第１ガス供給路２１ａおよび第２ガス供給路２１ｂの夫々には、燃料ガスの供給を断続する開閉弁Ｖ１、Ｖ３と、燃料ガス供給量を調整する電磁式のガス比例弁Ｖ２、Ｖ４が夫々設けられている。また、給湯用加熱部Ｈ１および熱媒加熱部Ｈ２には、給湯用バーナｇ１および熱媒加熱用バーナｇ２の夫々に、燃焼用空気を供給する燃焼用ファン１２ａ、１２ｂが設けられている。
なお図示は省略するが、給湯用バーナｇ１および熱媒加熱用バーナｇ２の近傍には、点火用のイグナイタおよび着火を検出するフレームロッドが設けられている。
【００２６】
給湯用加熱部Ｈ１および熱媒加熱部Ｈ２には、バーナｇ１、ｇ２の燃焼排ガスの顕熱を主に回収する主熱交換器ＥＸ１、ＥＸ３と、潜熱を主に回収する副熱交換器ＥＸ２、ＥＸ４とを備えて構成されている。ここで、主熱交換器ＥＸ１、ＥＸ３と副熱交換器ＥＸ２、ＥＸ４とは、給湯用バーナｇ１および熱媒加熱用バーナｇ２から排気路２２へ向かう燃焼排ガスの流動方向において、副熱交換器ＥＸ２、ＥＸ４が主熱交換器ＥＸ１、ＥＸ３よりも下流側に位置する状態で配設されている。なお、本発明にあっては、熱媒加熱部Ｈ２に設けられる主熱交換器ＥＸ３と副熱交換器ＥＸ４とが第１熱交換器として機能する。
これにより、給湯用加熱部Ｈ１においては、湯水が、副熱交換器ＥＸ２にて主として給湯用バーナｇ１の燃焼排ガスの潜熱により加熱された後、主熱交換器ＥＸ１にて主として給湯用バーナｇ１の燃焼排ガスの顕熱により加熱される。また、熱媒加熱部Ｈ２においては、熱媒が、副熱交換器ＥＸ４にて主として熱媒加熱用バーナｇ２の燃焼排ガスの潜熱により加熱された後、主熱交換器ＥＸ３にて主として熱媒加熱用バーナｇ２の燃焼排ガスの顕熱により加熱される。
【００２７】
給湯用加熱部Ｈ１の副熱交換器ＥＸ２および熱媒加熱部Ｈ２の副熱交換器ＥＸ４からは、燃焼生成水である酸性の凝縮水、即ち、ドレンが生成するが、当該ドレンはドレンパン２３に集められ中和器２４にて中和された後、ドレンタンク２５に貯留されるように構成されている。ドレンタンク２５には、ドレンの貯留量が上限貯留量以上であることを検出するドレンセンサＳ１が設けられおり、当該ドレンセンサＳ１にてドレンの貯留量が上限貯留量以上であることが検出されると、ドレン排水ポンプＰ３が作動し、ドレンタンク２５に貯留されているドレンが、排水管Ｌ１を介して、浴室の床面に設けられた排水口１３から外部に排出されるように構成されている。ちなみに、排水管Ｌ１のうち熱源機Ｇの外部（ケーシング５１の外側）に位置する部分は、後述する浴槽戻り路Ｌ７のうち、熱源機Ｇの外側に配設される浴槽戻り外管Ｌ７ｂの内部に配設されている。
【００２８】
〔給湯に係る構成〕
給水路Ｌ２が、給湯用加熱部Ｈ１の副熱交換器ＥＸ２の入口に接続されている。一端に給湯栓３３を有する給湯路Ｌ４の他端が、給湯用加熱部Ｈ１における主熱交換器ＥＸ１の出口に接続されている。これにより、給水路Ｌ２から供給される湯水は、副熱交換器ＥＸ２および主熱交換器ＥＸ１にて順に加熱された後、給湯路Ｌ４を介して給湯栓３３から供給される。
【００２９】
給水路Ｌ２には、給水温度を検出する給水サーミスタＳ７と給水流量を検出する流量センサＳ８とが設けられている。給水路Ｌ２における給水サーミスタＳ７および流量センサＳ８よりも下流側の箇所が、主熱交換器ＥＸ１および副熱交換器ＥＸ２を迂回する給水バイパス路Ｌ３にて、給湯路Ｌ４に接続されている。
給湯路Ｌ４には、給水バイパス路Ｌ３の接続箇所よりも上流側に、主熱交換器ＥＸ１からの湯水温度を検出する出湯サーミスタＳ４が設けられている。給湯路Ｌ４における給水バイパス路Ｌ３の接続箇所よりも下流側には、上流側から順に、給湯としての湯水温度を検出する給湯サーミスタＳ６、湯水流量を調整可能な比例弁Ｖ９、一般給湯の割り込みを検出する割り込み検出用水量センサＳ９が設けられている。
また、給湯路Ｌ４と給水バイパス路Ｌ３との接続箇所には、主熱交換器ＥＸ１からの湯水と給水バイパス路Ｌ３からの湯水との混合比を調整可能なミキシング弁Ｖ１１が設けられている。
以上より、各サーミスタおよび流量センサの出力に基づいて、給水バイパス路Ｌ３を通流する流量が調整される形態で、給湯温度がメインリモコンＲ１にて設定される目標給湯温度に調整され、給湯栓３３から給湯される。
【００３０】
〔熱媒循環に係る構成〕
熱媒循環回路は、熱媒加熱部Ｈ２の主熱交換器ＥＸ３の出口から流出した熱媒を、熱媒と浴槽水とを熱交換する追焚き熱交換器ＥＸ５（第２熱交換器の一例）に通過させ熱媒加熱部Ｈ２の副熱交換器ＥＸ４の入口へ戻す追焚き回路Ｃ１と、熱媒加熱部Ｈ２の主熱交換器ＥＸ３の出口から流出した熱媒を高温暖房端末ＨＵを通過させ熱媒加熱部Ｈ２の副熱交換器ＥＸ４の入口へ戻す高温暖房回路Ｃ２と、熱媒加熱部Ｈ２の主熱交換器ＥＸ３の出口から流出した熱媒を追焚き熱交換器ＥＸ５と高温暖房端末ＨＵとをバイパス状態で熱媒加熱部Ｈ２の副熱交換器ＥＸ４の出口へ導く熱媒バイパス路Ｌ９と、熱媒加熱部Ｈ２の主熱交換器ＥＸ３の出口から流出した熱媒を熱媒バイパス路Ｌ９を介して低温暖房端末ＬＵを通過させ熱媒加熱部Ｈ２の副熱交換器ＥＸ４の入口へ戻す低温暖房回路Ｃ３とを備えている。ここで、追焚き回路Ｃ１は、熱媒加熱部Ｈ２の主熱交換器ＥＸ３の出口から追焚き熱交換器ＥＸ５までに配設される追焚き往き路Ｌ１１と、追焚き熱交換器ＥＸ５から熱媒加熱部Ｈ２の副熱交換器ＥＸ４の入口までに配設される追焚き戻り路Ｌ１０とを備えている。
【００３１】
熱媒バイパス路Ｌ９には、熱媒のバイパス流量を調整自在なバイパス用熱動弁Ｖ１２が設けられ、追焚き回路Ｃ１の追焚き往き路Ｌ１１には、追焚き熱交換器ＥＸ５を通過する熱媒流量を調整可能な追焚き用熱動弁Ｖ８が設けられ、高温暖房回路Ｃ２には、高温暖房端末ＨＵを通過する熱媒流量を調整可能な高温暖房用熱動弁Ｖ１０が設けられ、低温暖房回路Ｃ３には、低温暖房端末ＬＵを通過する熱媒流量を調整可能な低温暖房用熱動弁Ｖ１３が設けられている。
また、熱媒加熱部Ｈ２の副熱交換器ＥＸ４の出口と主熱交換器ＥＸ３の入口との間には、熱媒を副熱交換器ＥＸ４から主熱交換器ＥＸ３の側へ圧送する熱媒循環ポンプＰ２が設けられている。
更に、熱媒加熱部Ｈ２の主熱交換器ＥＸ３の出口には、当該出口から流出する湯水温度を検出する熱媒サーミスタＳ３が設けられると共に、図示は省略するが低温暖房端末ＬＵおよび高温暖房端末ＨＵの内部には、自身を通過した熱媒の温度を検出する高温暖房サーミスタおよび低温暖房サーミスタが夫々備えられている。
なお、熱媒加熱部Ｈ２の副熱交換器ＥＸ４への入口には、熱媒の膨張を吸収可能な膨張タンク５０が設けられている。
【００３２】
〔追焚きに係る構成〕
追焚き熱交換器ＥＸ５の湯水出口と浴槽１０の側壁部下方側に装着された循環アダプタ１１とが、浴槽往き路Ｌ８にて接続され、循環アダプタ１１と追焚き熱交換器ＥＸ５の湯水入口とが、浴槽戻り路Ｌ７にて接続され、その浴槽戻り路Ｌ７に、浴槽１０の湯水を吸引して追焚き熱交換器ＥＸ５へ送出する浴槽水循環ポンプＰ１が設けられている。
説明を追加すると、浴槽往き路Ｌ８が、熱源機Ｇの内部に位置する浴槽往き内管Ｌ８ａと、熱源機Ｇから外部へ延出されて循環アダプタ１１の往き用接続部１１ａに接続される浴槽往き外管Ｌ８ｂとから構成されている。また、浴槽戻り路Ｌ７が、熱源機Ｇの内部に位置する浴槽戻り内管Ｌ７ａと、熱源機Ｇから外部へ延出されて、循環アダプタ１１の戻り用接続部１１ｂに接続される浴槽戻り外管Ｌ７ｂとから構成されている。そして、浴槽戻り路Ｌ７と浴槽往き路Ｌ８とで本発明の浴槽水循環回路を構成する。
【００３３】
浴槽戻り路Ｌ７には、上流側から順に、浴槽戻り路Ｌ７の内部の湯水の圧力を検出することによって浴槽１０内の水位を検出する水位センサＳ１０、浴槽１０から戻る浴槽水の温度を検出する浴槽戻りサーミスタＳ２、浴槽戻り路Ｌ７を開閉する電磁式の開閉弁Ｖ７、上述した浴槽水循環ポンプＰ１、および水流スイッチ４１が設けられている。
また、浴槽往き路Ｌ８には、浴槽１０に供給される湯水の温度を検出する浴槽往きサーミスタＳ５が設けられている。
【００３４】
〔湯張りに係る構成〕
給湯路Ｌ４における比例弁Ｖ９と割り込み検出用水量センサＳ９との間の箇所から、給湯路Ｌ４からの湯水を浴槽１０へ供給するための湯張り路Ｌ５が分岐されて、その湯張り路Ｌ５が、浴槽戻り路Ｌ７における浴槽水循環ポンプＰ１と水流スイッチ４１との間に接続されている。当該湯張り路Ｌ５には、上流側から順に、湯張り路Ｌ５を開閉する電磁式の開閉弁Ｖ５と、湯張り路Ｌ５に連通する空気層形成用ホッパ４０と、逆止弁４２とが設けられている。
空気層形成用ホッパ４０には、湯水を排水する排水路Ｌ６と、当該排水路Ｌ６を開閉する電磁式の排水弁Ｖ６とが設けられ、排水路Ｌ６の下流側端部が浴槽戻り路Ｌ７における開閉弁Ｖ７と浴槽水循環ポンプＰ１との間に接続されている。
従って、開閉弁Ｖ５を開弁すると、給湯用加熱部Ｈ１にて加熱され湯張り路Ｌ５を介して供給される湯水が、浴槽戻り路Ｌ７に供給され、浴槽戻り路Ｌ７に供給された湯水が浴槽１０側と追焚き熱交換器ＥＸ５側の両側に向けて分流する形態で供給されることになる。即ち、湯張り路Ｌ５を介して供給される湯水は、浴槽往き路Ｌ８および浴槽戻り路Ｌ７の両方を介して浴槽１０に供給される。
【００３５】
〔熱源機の運転制御〕
熱源機Ｇは、上述した機器類を装備するものであって、上述の説明から明らかなように、加熱した湯水を給湯栓３３に供給する給湯処理、加熱した湯水を浴槽１０へ供給する湯張り処理、加熱した熱媒を暖房端末ＨＵ、ＬＵへ循環供給する端末加熱処理、および浴槽１０内の浴槽水を加熱する追焚き処理、並びにドレン排水処理を行うように構成されている。
【００３６】
即ち、運転制御部Ｃが、後述する如く、メインリモコンＲ１や浴室リモコンＲ２からの指令情報、およびケーシング５１の内部に装備したセンサ類の検出情報に基づいて、ケーシング５１の内部に装備した機器類を作動させて、給湯処理による給湯運転、湯張り処理等による自動湯張り運転、自動湯張り運転に続いて行う保温運転、浴槽１０に追加で湯張り給湯する足し湯運転、端末加熱処理による高温暖房運転・低温暖房運転、および追焚き処理による手動追焚き運転、並びに、ドレン排水処理によるドレン排水運転を実行するように構成されている。
【００３７】
〔リモコンに係る構成〕
メインリモコンＲ１（操作部）および浴室リモコンＲ２（操作部）は、同様に構成されるものであり、以下、メインリモコンＲ１を代表にして説明する。
図１に示すように、メインリモコンＲ１には、運転の開始と停止を指令する運転スイッチＳｗ１、自動湯張り運転指令を指令する風呂自動スイッチＳｗ２、給湯温度を設定する給湯温度設定スイッチＳｗ３、設定湯張り温度としての目標湯張り温度を設定する浴槽温度設定スイッチＳｗ４、浴槽１０の浴槽水の目標水位を設定する水位設定スイッチＳｗ５、浴槽１０に追加で湯張り給湯する足し湯スイッチＳｗ６、手動追焚き運転を指令する追焚きスイッチＳｗ７、設定温度等の各種情報を表示する表示部８１、暖房端末ＨＵ、ＬＵの運転の開始を指令する暖房運転スイッチＳｗ８、および湯張りが終了したこと等を報知する報知装置８２等が設けられている。メインリモコンＲ１は、運転制御部Ｃに接続され、上述の指令を運転制御部Ｃへ送信する。
【００３８】
〔温度センサに係る構成〕
外気温度サーミスタＳ１１（外気温度検出手段）は、熱源機Ｇに設けられ運転制御部Ｃに接続されている。外気温度サーミスタＳ１１は、風呂装置１００が設けられる住宅等の外気温度を検出して、運転制御部Ｃへ送信する。
浴室温度サーミスタＳ１２（浴室温度検出手段）は、浴室リモコンＲ２に設けられ運転制御部Ｃに接続されている。浴室温度サーミスタＳ１２は、浴室の室温を検出して、運転制御部Ｃへ送信する。
【００３９】
〔運転制御の詳細〕
運転制御部Ｃは、運転スイッチＳｗ１が操作されると制御可能な状態になり、給湯栓３３が開操作されると給湯栓３３から湯水を給湯する給湯運転を実行する。
また、運転制御部Ｃは、風呂自動スイッチＳｗ２がオン操作されて湯張り運転指令が指令されると、浴槽１０内に湯を供給して設定湯張り温度の湯張りを完了する自動湯張り運転を実行するように構成されている。
【００４０】
つまり運転制御部Ｃは、湯張り運転指令が指令されると、浴槽１０の浴槽水の温度が目標湯張り温度になり且つ浴槽１０の浴槽水の水位が目標水位になるように湯張り処理を行う、自動湯張り運転を実行するように構成されている。
【００４１】
また運転制御部Ｃは、自動湯張り運転を終了した後、風呂自動スイッチＳｗ２のオフにより湯張り運転指令が解除されるまでの間は、浴槽１０内の浴槽水の温度が設定湯張り温度になり且つ浴槽１０内の浴槽水の水位が目標水位になる湯張り状態を維持する保温運転を実行するように構成されている。
【００４２】
また運転制御部Ｃは、保温運転の実行中に追焚きスイッチＳｗ７が操作されて追焚き運転指令が指令された場合や、風呂自動スイッチＳｗ２のオフ操作により湯張り運転指令が解除され、すなわち保温運転を停止した状態において、追焚きスイッチＳｗ７が操作されて追焚き運転指令が指令された場合には、追焚き運転を実行し、また、足し湯スイッチＳｗ６が操作されると足し湯運転を実行するように構成されている。
【００４３】
以下、自動湯張り運転、保温運転および追焚き運転について説明を加える。まず、これらの運転に先立って行われる判定処理について説明する。
【００４４】
〔判定処理〕
運転制御部Ｃは、自動湯張り運転、保温運転、および追焚き運転を実行する際に、次に述べる判定処理を実行して、水流スイッチ４１のオンオフ情報および水位センサＳ１０の検出水位に基づく浴槽１０内の浴槽水の水位の確定や、浴槽戻りサ−ミスタＳ２の検出温度に基づく浴槽１０内の浴槽水の温度の確定を行うように構成されている。
【００４５】
すなわち、運転制御部Ｃは、判定処理では、循環判定用設定時間の間、浴槽水循環ポンプＰ１を作動させて、その浴槽水循環ポンプＰ１の作動中において、水流スイッチ４１や浴槽戻りサ−ミスタＳ２の検出情報を読み込み、水流スイッチ４１が水流を検出することを条件として、浴槽水循環ポンプＰ１を停止させた後、待機用設定時間が経過すると、水位センサＳ１０の検出情報を読み込むように構成されている。
【００４６】
〔自動湯張り運転（湯張り処理、追焚き処理）〕
運転制御部Ｃは、風呂自動スイッチＳｗ２がオン操作されると上述の判定処理を行い、判定処理にて確定した浴槽１０の湯水の水位が目標水位よりも低いときに、自動湯張り運転を実行するように構成されている。
自動湯張り運転では、運転制御部Ｃは、浴槽１０に湯を供給する湯張り処理と上述の判定処理を順に実行し、水位センサＳ１０の検出水位が目標水位以上になると湯張り処理を停止して、浴槽水の温度が目標湯張り温度になるように追焚きする追焚き処理を実行した後、自動湯張り運転を終了する。
【００４７】
（湯張り処理）
運転制御部Ｃは、湯張り処理では、開閉弁Ｖ５を開弁し、且つ、上述の給湯処理と同様に給湯用バーナｇ１に点火し、浴槽温度設定スイッチＳｗ４にて設定された目標湯張り温度、流量センサＳ８の検出水量、給水サ−ミスタＳ７の検出水温および給湯サ−ミスタＳ６の検出温度などに基づいて、給湯サ−ミスタＳ６の検出温度が目標湯張り温度になるように、ガス比例弁Ｖ２の開度およびミキシング弁Ｖ１１の開度を調節する。そして湯張り処理の停止の際には、開閉弁Ｖ５を閉弁し、給湯用バーナｇ１の燃焼を停止するように構成されている。
【００４８】
（追焚き処理）
また運転制御部Ｃは、追焚き処理では、追焚き用熱動弁Ｖ８を開弁した状態で浴槽水循環ポンプＰ１および熱媒循環ポンプＰ２を作動させて、浴槽１０内の湯水を浴槽戻り路Ｌ７および浴槽往き路Ｌ８を通して循環させ、それに併せて、熱媒加熱部Ｈ２における燃焼用ファン１２ａを駆動した後、開閉弁Ｖ１を開弁してイグナイタにより熱媒加熱用バーナｇ２に点火し、熱媒サーミスタＳ３の検出温度が追焚き用設定熱媒温度（例えば８０℃）になるように、ガス比例弁Ｖ４の開度を調節する。運転制御部Ｃにおいて、この追焚き処理を実行する機能部位を追焚き処理手段Ｍ１と記載している。
なお本実施形態では追焚き処理において、第１追焚き処理と第２追焚き処理のいずれを行うかを決定する選択処理と、第２追焚き処理を行う際の熱媒の温度を決定する熱媒温度決定処理、追焚き時間を変更・決定する追焚き時間決定処理が行われる。これらの処理については後述する。
【００４９】
そして、浴槽戻りサ−ミスタＳ２の検出温度が目標湯張り温度以上になると、運転制御部Ｃは、開閉弁Ｖ３を閉弁させて熱媒加熱用バーナｇ２の燃焼を停止させ、燃焼用ファン１２ａを停止させて追焚き処理を終了する。
【００５０】
〔保温運転〕
運転制御部Ｃは、自動湯張り運転を終了した後において風呂自動スイッチＳｗ２がオン状態になっている間は、保温運転を実行する。すなわち、追焚き運転周期が経過する毎に、判定処理を実行して、浴槽１０の湯水の温度および水位を検出する。
【００５１】
判定処理を実行した結果、浴槽１０の湯水の水位が目標水位よりも低いときは、水位センサＳ１０の検出水位が通常用目標水位以上になるまで湯張り処理と判定処理を交互に繰り返し実行し、検出水位が目標水位以上になったとき、浴槽戻りサ−ミスタＳ２の検出温度が目標湯張り温度よりも低い場合は、浴槽戻りサ−ミスタＳ２の検出温度が目標湯張り温度以上になるまで追焚き処理を実行する。
【００５２】
判定処理を実行した結果、浴槽１０の湯水の水位が目標水位以上で且つ浴槽１０の湯水の温度が目標湯張り温度よりも低いときは、浴槽戻りサ−ミスタＳ２の検出温度が目標湯張り温度以上になるまで追焚き処理を実行する。また、判定処理を実行した結果、浴槽１０の湯水の水位が目標水位以上で且つ浴槽１０の湯水の温度が目標湯張り温度以上のときは、特別な処理を行わずに待機する。
【００５３】
〔手動追焚き運転〕
運転制御部Ｃは、追焚きスイッチＳｗ７が操作されると、上述した判定処理を行い、浴槽戻りサ−ミスタＳ２の検出温度を読み込む。
【００５４】
浴槽戻りサ−ミスタＳ２の検出温度が目標湯張り温度よりも低い場合は、上述した追焚き処理を行う。すなわち運転制御部Ｃは、追焚き用熱動弁Ｖ８を開弁した状態で熱媒循環ポンプＰ２および浴槽水循環ポンプＰ１を作動させて、浴槽１０内の湯水を浴槽戻り路Ｌ７および浴槽往き路Ｌ８を通して循環させ、それに併せて、熱媒加熱部Ｈ２における燃焼用ファン１２ａを駆動した後、開閉弁Ｖ３を開弁してイグナイタにより熱媒加熱用バーナｇ２を点火する。そして、熱媒サーミスタＳ３の検出温度が追焚き用設定熱媒温度（例えば８０℃）になるように、ガス比例弁Ｖ４の開度を調節することにより、浴槽水を加熱する。
【００５５】
浴槽戻りサ−ミスタＳ２の検出温度が目標湯張り温度以上になると、開閉弁Ｖ３を閉弁させて熱媒加熱用バーナｇ２の燃焼を停止させ、燃焼用ファン１２ａを停止させて手動追焚き運転を終了する。
【００５６】
以上、説明したように、本発明に係る風呂装置は、自動湯張り運転、保温運転、および手動追焚き運転が可能となっており、これらの運転において追焚き処理が行われる。
本発明の追焚き処理においては、所定の第１熱媒温度に熱媒を加熱して浴槽水を追焚きする第１追焚き処理と、第１追焚き処理に要する時間よりも長くかつ最長追焚き時間と同じかより短い時間で追焚き処理が完了する第２熱媒温度を決定し、その第２熱媒温度に熱媒を加熱して浴槽水を追焚きする第２追焚き処理とが選択的に行われる。以下、これらの処理の詳細について説明する。
【００５７】
〔追焚き処理手段の詳細〕
以下、運転制御部Ｃに備えられる、本発明の各特長手段Ｍ１〜Ｍ５、Ｍｍの構成およびその働きについて、図２、図３、図４に基づいて説明する。図２は運転制御部Ｃの機能構成を示す機能構成図であり、図３は第１追焚き処理に係る風呂装置の運転状態を示す説明図であり、図４は第２追焚き処理に係る風呂装置の運転状態を示す説明図である。
【００５８】
図２に示すように、運転制御部Ｃには、追焚き処理において熱源機Ｇの各構成を制御する追焚き制御手段Ｍ２の他に、選択処理手段Ｍ３、熱媒温度決定手段Ｍ４、追焚き時間決定手段Ｍ５が備えられ、これらが追焚き処理手段Ｍ１を構成している。また運転制御部Ｃには、追焚き処理手段Ｍ１で適宜使用される情報を記憶した記憶手段Ｍｍが備えられており、この記憶手段Ｍｍには、浴槽水の水位と浴槽１０に貯留された浴槽水の量Ｌとの関係を示す情報Ｍｍ１、毎時投入熱量と熱媒温度との関係を示す情報Ｍｍ２、外気温度による第２追焚き時間の変更量を示す情報Ｍｍ３、浴室温度による第２追焚き時間の変更量を示す情報Ｍｍ４、浴槽の断熱性能に関する指標による第２追焚き時間の変更量を示す情報Ｍｍ５、最長追焚き時間ｔｍａｘに関する情報Ｍｍ６、最低熱媒温度Ｔｍｉｎに関する情報Ｍｍ７が記憶情報として含まれている。
【００５９】
〔追焚き制御手段〕
追焚き制御手段Ｍ２は、追焚き処理を行う旨の指令を受け付けると、追焚き用熱動弁Ｖ８を開弁した状態で熱媒循環ポンプＰ２を作動させることにより、主熱交換器ＥＸ３および副熱交換器ＥＸ４にて加熱された熱媒を追焚き熱交換器ＥＸ５に循環供給する。そしてその状態において、浴槽水循環ポンプＰ１を作動させることにより、浴槽１０に貯留された浴槽水を浴槽戻り路Ｌ７および浴槽往き路Ｌ８を通して追焚き熱交換器ＥＸ５に循環供給して、追焚き熱交換器ＥＸ５にて加熱する。
【００６０】
これに併せて追焚き制御手段Ｍ２は、熱媒加熱部Ｈ２における燃焼用ファン１２ａを駆動した後、開閉弁Ｖ１を開弁してイグナイタにより熱媒加熱用バーナｇ２に点火し、熱媒サーミスタＳ３の検出温度に基づいてガス比例弁Ｖ４の開度を調節することにより、熱媒の温度を追焚き用設定熱媒温度になるように制御する。追焚き用設定熱媒温度は、第１追焚き処理が行われる場合は、あらかじめ記憶手段に記憶された第１熱媒温度（例えば、８０℃）へと設定され、第２追焚き処理が行われる場合は、後述する熱媒温度決定手段Ｍ４により決定された第２熱媒温度へと設定される。
【００６１】
〔選択処理手段〕
選択処理手段Ｍ３は、風呂装置１００の動作状態およびリモコンへの操作に基づいて、追焚き処理において第１追焚き処理と第２追焚き処理の何れを行うかを以下の通り決定する。
（１）高温暖房運転が行われている間に追焚き処理を行う旨の指令があった場合、第１追焚き処理を行うよう決定する。
（２）メインリモコンＲ１または浴室リモコンＲ２から手動追焚き運転を行う旨の指令があった場合、第１追焚き処理を行うよう決定する。
（３）上記以外の状況で追焚き処理を行う旨の指令があった場合、第２追焚き処理を行うよう決定する。
第１追焚き処理を行うよう決定された場合、選択処理手段Ｍ３は追焚き制御手段Ｍ２に対してその旨を指令する。第２追焚き処理を行うよう決定された場合、選択処理手段Ｍ３は熱媒温度決定手段Ｍ４に対して熱媒温度の決定を行うよう指令する。
【００６２】
〔熱媒温度決定手段〕
熱媒温度決定手段Ｍ４は、第２追焚き処理を行う場合に第２熱媒温度を決定する。第２熱媒温度は、第１追焚き処理に要する時間よりも長くかつ最長追焚き時間ｔｍａｘと同じかより短い時間で追焚き処理が完了する第２熱媒温度を、浴槽水を追焚き完了温度（目標湯張り温度）に加熱するために要する必要投入熱量を第２追焚き時間で除算することで求められる毎時投入熱量に基づいて決定する。
以下、第２熱媒温度を決定する処理について説明する。
【００６３】
（１）必要投入熱量の算出
必要投入熱量は、浴槽水を目標湯張り温度に加熱するために要する熱量であって、判定処理によって決定される浴槽水の温度と目標湯張り温度との差ΔＴと、浴槽１０に貯留されている浴槽水の量Ｌにより算出される。浴槽水の量Ｌは、判定処理によって決定される浴槽水の水位に基づいて、情報Ｍｍ１（浴槽水の水位と浴槽１０に貯留された浴槽水の量Ｌとの関係を示す情報）を参照して求められる。すなわち、
必要投入熱量  ＝  浴槽水の量Ｌ  ×  ΔＴ  ×  比熱
として、必要投入熱量が算出される。
【００６４】
（２）毎時投入熱量
必要投入熱量を第２追焚き時間で除算することにより、毎時投入熱量が算出される。毎時投入熱量は、第２追焚き時間により追焚き処理を完了するために浴槽へ投入するべき単位時間当たりの熱量である。第２追焚き時間は、第１追焚き処理に要する時間よりも長くかつ最長追焚き時間ｔｍａｘと同じかより短い時間として、本実施形態では予め設定され記憶手段Ｍｍに記憶されている。すなわち、
毎時投入熱量  ＝  必要投入熱量  ／  第２追焚き時間
として、毎時投入熱量が算出される。
【００６５】
（３）第２熱媒温度の決定
第２熱媒温度は、毎時投入熱量に基づいて、情報Ｍｍ２（毎時投入熱量と熱媒温度との関係を示す情報）を参照して決定される。毎時投入熱量は浴槽へ投入される単位時間当たりの熱量であり、追焚き熱交換器ＥＸ５を通流する熱媒の温度により変化する。従って、毎時投入熱量を熱媒の温度の関数として情報Ｍｍ２に格納しておくことにより、毎時投入熱量に基づいて第２熱媒温度を決定することができる。情報Ｍｍ２は関数の他、マップやテーブルの形態であってもよいし、熱媒流量の影響を考慮した情報であってもよい。なお、必要投入熱量が大きいことによって第２熱媒温度が第１熱媒温度よりも大きくなってしまう場合には、第１熱媒温度にて追焚き処理を行う。
【００６６】
最後に、情報Ｍｍ７（最低熱媒温度Ｔｍｉｎに関する情報）を参照して、決定された第２熱媒温度が最低熱媒温度Ｔｍｉｎを下回っている場合には、第２熱媒温度を最低熱媒温度Ｔｍｉｎに決定する。熱媒の温度が低すぎた場合、追焚き回路Ｃ１等の熱媒循環回路において配管の低温腐食が発生する可能性があるが、上述の処理により第２追焚き処理の際の熱媒の温度が低すぎる事態を回避することができる。
【００６７】
〔追焚き時間決定手段〕
追焚き時間決定手段Ｍ５は、熱源機Ｇの外気温度、浴室の浴室温度、あるいは浴槽１０の断熱性能に応じて、第２追焚き処理に要する時間である第２追焚き時間を変更し決定する。なお、追焚き時間決定手段Ｍ５による第２追焚き時間の変更・決定は、上述の毎時投入熱量の算出に先立って行われる。
（１）施設の外気温度による変更
追焚き時間決定手段Ｍ５は、外気温度サーミスタＳ１１により取得された外気温度に基づいて、情報Ｍｍ３（外気温度による第２追焚き時間の変更量を示す情報）を参照して、第２追焚き時間を変更し決定する。例えば外気温度が１０℃未満の場合は、第２追焚き時間からΔｔ１を減じた時間を新たな第２追焚き時間として決定する。外気温度が３０℃を超える場合は、第２追焚き時間にΔｔ２を加えた時間を新たな第２追焚き時間として決定する。そして熱媒温度決定手段Ｍ４は、変更された新たな第２追焚き時間に基づいて第２熱媒温度を決定する。外気温度が低いほど、第２追焚き時間を短くするよう構成するのが好ましい。
【００６８】
（２）浴室温度による変更
追焚き時間決定手段Ｍ５は、浴室温度サーミスタＳ１２により取得された浴室温度に基づいて、情報Ｍｍ４（浴室温度による第２追焚き時間の変更量を示す情報）を参照して、第２追焚き時間を変更し決定する。例えば浴室温度が３０℃を超える場合は、第２追焚き時間にΔｔ４を加えた時間を新たな第２追焚き時間として決定する。浴室温度が２０℃未満の場合は、第２追焚き時間からΔｔ３を減じた時間を新たな第２追焚き時間として決定する。そして熱媒温度決定手段Ｍ４は、変更された新たな第２追焚き時間に基づいて第２熱媒温度を決定する。浴室温度が低いほど、第２追焚き時間を短くするよう構成するのが好ましい。
【００６９】
（３）浴槽の断熱性能による変更
追焚き時間決定手段Ｍ５は、浴槽の断熱性能に関する指標に基づいて、情報Ｍｍ５（浴槽の断熱性能に関する指標による第２追焚き時間の変更量を示す情報）を参照して、第２追焚き時間を変更し決定する。浴槽の断熱性能に関する指標は、風呂装置１００を設置した際に用いた浴槽１０の断熱性能に応じて記憶手段Ｍｍに記憶され、住宅リフォーム等により浴槽１０が交換された場合には、新しい浴槽１０の断熱性能に応じて変更され記憶される。例えば指標が「低断熱」の場合には、第２追焚き時間からΔｔ６を減じた時間を新たな第２追焚き時間として決定する。指標が「非断熱」の場合には、第２追焚き時間からΔｔ５を減じた時間を新たな第２追焚き時間として決定する。そして熱媒温度決定手段Ｍ４は、変更された新たな第２追焚き時間に基づいて第２熱媒温度を決定する。断熱性能が低いほど、第２追焚き時間を短くするよう構成するのが好ましい。
【００７０】
以上述べた熱源機Ｇの外気温度、浴室の浴室温度、あるいは浴槽１０の断熱性能に応じた第２追焚き時間の変更は、いずれか一つを実行してもよいし、二つまたは三つを組み合わせて実行してもよい。
【００７１】
なお本実施形態において第２追焚き時間は、第１追焚き処理に要する時間よりも長くかつ最長追焚き時間ｔｍａｘと同じかより短い時間として予め設定され記憶手段Ｍｍに記憶されているが、第１追焚き処理に要する時間に所定時間（例えば、１．５分）を加えた時間としてもよい。すなわち、判定処理によって決定された浴槽水の温度・水位と第１熱媒温度に基づいて、必要投入熱量と毎時投入熱量から第１追焚き処理に要する時間を算出し、当該時間に所定時間を加えた時間としてもよい。
【００７２】
〔参考形態〕
上述の実施形態においては、必要投入熱量を第２追焚き時間で除算することで求められる毎時投入熱量に基づいて第２熱媒温度を決定したが、当該参考形態では、あらかじめ設定された第３熱媒温度にて追焚きした場合に追焚き処理に要する時間（第３追焚き時間）を算出し、当該時間が最長追焚き時間ｔｍａｘと同じかより短い場合は第３熱媒温度を第２熱媒温度に決定して第２追焚き処理を行い、当該時間が最長追焚き時間ｔｍａｘより長い場合は、最長追焚き時間ｔｍａｘで追焚き処理が完了する熱媒の温度を第２熱媒温度に決定して第２追焚き処理を行う構成について説明する。尚、当該参考形態は、本発明の実施形態に含まれるものではない。
【００７３】
〔第３追焚き時間の算出〕
第３追焚き時間は、追焚き処理手段Ｍ１において次のように算出される。あらかじめ設定され記憶手段Ｍｍに記憶されている第３熱媒温度に基づいて、情報Ｍｍ２（毎時投入熱量と熱媒温度との関係を示す情報）を参照し、毎時投入熱量を求める。この毎時投入熱量は、第３熱媒温度に熱媒を加熱して追焚き処理を行った場合に、浴槽１０に投入される単位時間当たりの熱量である。
次に、浴槽水を目標湯張り温度に加熱するために要する熱量である必要投入熱量を、上述の実施形態と同様に、
必要投入熱量  ＝  浴槽水の量Ｌ  ×  ΔＴ  ×  比熱として算出する。浴槽水の量Ｌは、判定処理によって決定される浴槽水の水位に基づいて、情報Ｍｍ１（浴槽水の水位と浴槽１０に貯留された浴槽水の量Ｌとの関係を示す情報）を参照して求められる。Δｔは、判定処理によって決定される浴槽水の温度と目標湯張り温度との差である。
そして、以下の関係に基づいて第３追焚き時間を算出する。
第３追焚き時間  ＝  必要投入熱量  ／  毎時投入熱量 
【００７４】
〔第２熱媒温度の決定〕
次に、算出された第３追焚き時間と最長追焚き時間ｔｍａｘとを比較することにより、第２熱媒温度を決定する。
第３追焚き時間が最長追焚き時間ｔｍａｘと同じかより短い場合、第３熱媒温度を第２熱媒温度に決定する。
第３追焚き時間が最長追焚き時間ｔｍａｘより長い場合は、以下に述べる処理により、最長追焚き時間ｔｍａｘで追焚き処理が完了する熱媒の温度（最長追焚き温度）を求め、第２熱媒温度に決定する。
【００７５】
最長追焚き温度は次のようにして求める。上述の第３追焚き時間の算出において、必要投入熱量は既に求められているので、以下の関係式に基づいて、最長追焚き時間で追焚き処理が完了する毎時投入熱量を算出する。
毎時投入熱量  ＝  必要投入熱量  ／  最長追焚き時間
そして情報Ｍｍ２（毎時投入熱量と熱媒温度との関係を示す情報）を参照し、算出された毎時投入熱量を実現する温度として、最長追焚き温度が求まり、これを第２熱媒温度に決定する。
【００７６】
〔追焚き処理に係る風呂装置の運転状態〕
図３により、第１追焚き処理に係る風呂装置の運転状態を説明する。５秒経過時点で熱媒流量１２Ｌ／ｍｉｎで熱媒循環ポンプＰ２が作動し、併せて浴槽水循環ポンプＰ１が流量８Ｌ／ｍｉｎで作動する。１５秒経過時点で熱媒加熱用バーナｇ２が点火され、熱媒サーミスタＳ３の検出温度が第１熱媒温度（例えば８０℃）になるように、ガス比例弁Ｖ４の開度が調整される。図中「ガス入力」は、熱媒加熱用バーナｇ２で使用される燃焼ガスの量を熱量（ｋＷ）で表したものである。熱源機Ｇから出力される熱量である熱源機出力（ｋＷ）の増加に伴って、瞬時効率（ガス入力に対する熱源機出力の割合）が増加する。
【００７７】
１分３０秒経過時点（燃焼開始から１分１５秒）の付近で、瞬時効率は平均的に６０％を超えるようになる。１分４５秒経過時点（燃焼開始から１分３０秒）で浴槽戻りサ−ミスタＳ２の検出温度が目標湯張り温度を超え、熱媒加熱用バーナｇ２が消火される。その後順次、熱媒循環ポンプＰ２が２分強経過時点で停止し、浴槽水循環ポンプＰ１が２分４５秒経過時点で停止し、追焚き処理が終了する。追焚き処理に要した時間（熱媒加熱用バーナｇ２の燃焼時間）は１分１５秒であり、瞬時効率が６０％を超えていた期間は約１５秒間である。
【００７８】
図４により、第２追焚き処理に係る風呂装置の運転状態を説明する。８秒経過時点で熱媒流量１２Ｌ／ｍｉｎで熱媒循環ポンプＰ２が作動し、併せて浴槽水循環ポンプＰ１が流量８Ｌ／ｍｉｎで作動する。２０秒経過時点で熱媒加熱用バーナｇ２が点火され、熱媒サーミスタＳ３の検出温度が第２熱媒温度（例えば６０℃）になるように、ガス比例弁Ｖ４の開度が調整される。
【００７９】
１分４５秒経過時点（燃焼開始から１分２５秒）の付近で、瞬時効率は平均的に６０％を超えるようになる。２分４０秒経過時点（燃焼開始から２分２０秒）で浴槽戻りサ−ミスタＳ２の検出温度が目標湯張り温度を超え、熱媒加熱用バーナｇ２が消火される。その後順次、熱媒循環ポンプＰ２が２分５０秒経過時点で停止し、浴槽水循環ポンプＰ１が３分３０秒経過時点で停止し、追焚き処理が終了する。追焚き処理に要した時間（熱媒加熱用バーナｇ２の燃焼時間）は２分３０秒であり、第１追焚き処理に比べ約２倍の時間を要している。また、瞬時効率が６０％を超えていた期間は約５５秒間であり、第１追焚き処理に比べ大幅に長くなっており、追焚き処理全体の熱効率も約１％向上している。
【００８０】
〔別実施形態〕
上述の実施形態では、水位センサＳ１０の検出情報に基づいて、判定処理により浴槽水の水位を決定し、浴槽水の量Ｌを算出したが、水位センサＳ１０を設けない構成としてもよい。例えば、浴槽水循環ポンプＰ１を作動させて水流スイッチ４１が水流を検出した場合に、自動湯張り運転においてそれまでに浴槽１０に供給した湯の合計量をもとめ、当該合計量が現在の浴槽水の量Ｌであると推定してもよい。
【００８１】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８２】
以上説明したように、第１追焚き処理と第２追焚き処理を選択的に行い、第１追焚き処理よりも長い時間で第２追焚き処理を行うことで瞬時効率が高い期間を長くして、総合的な熱効率を向上できる風呂装置として有効に利用することができる。
【符号の説明】
【００８３】
１０      ：浴槽
１００    ：風呂装置
Ｃ        ：運転制御部
Ｃ１      ：追焚き回路（熱媒循環回路）
ＥＸ３    ：主熱交換器（第１熱交換器）
ＥＸ４    ：副熱交換器（第１熱交換器）
ＥＸ５    ：追焚き熱交換器（第２熱交換器）
ｇ２      ：熱媒加熱用バーナ（燃焼式加熱装置）
Ｌ７      ：浴槽戻り路（浴槽水循環回路）
Ｌ８      ：浴槽往き路（浴槽水循環回路）
Ｍ１      ：追焚き処理手段
Ｓ１１    ：外気温度サーミスタ（外気温度検出手段）
Ｓ１２    ：浴室温度サーミスタ（浴室温度検出手段）
Ｒ１      ：メインリモコン（操作部）
Ｒ２      ：浴室リモコン（操作部）
【図１】
0006415923.tif 000002
【図２】
0006415923.tif 000003
【図３】
0006415923.tif 000004
【図４】
0006415923.tif 000005